(57)【要約】【課題】ローター部やステータ部などの冷却を行う際の損失を低減し、送風効率の高い電動送風機及びそれを用いた電気掃除機を提供する。【解決手段】ブラケット５５の上面部６９に複数の孔部７０を設けると共に、その下流に第２のエアガイド７３を設け、吸気口６８から流入する空気の少なくとも一部をブラケット５５に供給してローター部５３やステータ部５４などを冷却する構成とすることにより、十分な冷却性能を保持したまま、曲がり損失や急拡大損失などを低減させ、送風効率を向上させることができる。【選択図】図１
2010180705.tif 000002
【特許請求の範囲】
【請求項１】
ローター部とステータ部とそれらを覆うブラケットとによって構成される電動機と、前記電動機により回転駆動されるインペラと、複数のトングにより複数の流路を構成し前記インペラの周辺に配置された第１のエアガイドと、中央に吸気口を有し前記インペラ及び前記第１のエアガイドを内包する第１のファンケースと、前記第１のエアガイド内の複数の流路に対応して前記ブラケットの上面部に設けられた複数の孔部と、前記ブラケットの側面に設けられた複数のブラケット流入口と、前記複数の孔部から複数のブラケット流入口に至る流路を形成する第２のエアガイドと、前記複数の孔部、前記第２のエアガイドおよび前記複数のブラケット流入口を内包するように前記ブラケットの外周を覆う第２のファンケースとを備えた電動送風機。
【請求項２】
第１のファンケースの外周部に設けた排気口と、吸気口から流入した空気の流量によって前記排気口を開閉する開閉扉とを備えた請求項１に記載の電動送風機。
【請求項３】
第２のエアガイドの流路はブラケットの外周側に螺旋状に構成されている請求項２に記載の電動送風機。
【請求項４】
第２のファンケースにおけるブラケット流入口近傍の位置に下部排気口を設けた請求項１〜３のいずれか１項に記載の電動送風機。
【請求項５】
ブラケット流入口は、ローター部またはステータ部の少なくとも一方に設けられたコイルの下方側に風が当たる位置に設けられた請求項１〜４のいずれか１項記載の電動送風機。
【請求項６】
電動機はローター部と接するブラシ部を有するブラシモータであり、ブラケット流入口は前記ブラシ部の近傍に設けられている請求項１〜５のいずれか１項記載の電動送風機。
【請求項７】
ブラケット流入口は、第２のエアガイドの流路内の空気の流れの方向に沿って傾いた複数の孔である請求項１〜６のいずれか１項記載の電動送風機。
【請求項８】
第２エアガイドのトングを配さない合流域を第２のエアガイドとブラケットの径方向壁面との間に設けている請求項１〜７のいずれか１項記載の電動送風機。
【請求項９】
請求項１〜８のいずれか１項に記載の電動送風機を有する電気掃除機。
【発明の詳細な説明】
【技術分野】
【０００１】
本発明は、電動送風機及び電気掃除機に関するものである。
【背景技術】
【０００２】
従来、この種の電動送風機としては、図６に示す従来例１のように、ローター部１とステータ部２とそれらを覆うブラケット３とによって構成される電動機４と、電動機４により回転駆動されるインペラ５と、このインペラ５の周囲に複数のトング６で複数の流路７を形成し、インペラ５の排出空気の流速を徐々に遅くして動圧を静圧に変換する圧力回復を行うエアガイド８と、中央に吸気口９を有しインペラ５及びエアガイド８を内包するファンケース１０と、エアガイド８を通過した空気をステータ部２とブラケット３の間に導く連通路１１を設けて、ステータ部２を冷却するものがある。
【０００３】
この従来例１は、エアガイド８を通過した排出空気を斜めに傾斜した連通路１１でステータ部２にスムーズに導くため、後述する従来例２のように排出空気の流れが略直角状に曲がって生じる曲がり損失が大きくならない（例えば、特許文献１参照）。
【０００４】
また、図７に示す従来例２のように、ファンケース２１とエアガイド２２のトング２３との外周部近傍の隙間に環状体２４を当接シールする形で設けると共に、ファンケース２１の外周部に排気口２５を設け、吸気口２６から流入した空気の一部が空気の流れＡ、Ｂ、Ｃ１、Ｃ２で示すように、エアガイド２２の下部を通りブラケット２７の上面部２８に設けられた連通口２９を通ってブラケット２７内部に供給され、ローター部３０とステータ部３１を冷却し、残りの空気は排気口２５から外部に排気するものもある。
【０００５】
この従来例２は、環状体２４を介してファンケース２１とエアガイド２２のトング２３とを当接シールすることで、エアガイド２２内の複数の流路をそれぞれ独立させ、排出空気の流速が速い場所の流路間で空気が行き来することによる漏れ損失が生じないようにしている。さらに、ファンケース２１に排気口２５を設けることにより、ローター部３０やステータ部３１の冷却に対して余分な量の空気を、空気の流れＤで示すように外部に排気することにより、折り返し空気Ｂが空気の流れＣ１、Ｃ２のように略直角状に曲がることで生じる曲がり損失を低減している（例えば、特許文献２参照）。
【０００６】
また、図８に示す従来例３のように、エアガイド４１をパイプ状の流路４２とし、流路４２から流出した空気が、空気の流れＣで示すようにブラケット４３の上面部４４に設けられた連通口４５を通ってブラケット４３内部に供給され、ローター部４６とステータ部４７を冷却するものもある（例えば、特許文献３参照）。
【特許文献１】特開昭６２−７０６９７号公報
【特許文献２】特開２００６−２５００１６号公報
【特許文献３】特開２００７−２７８１５４号公報
【発明の開示】
【発明が解決しようとする課題】
【０００７】
しかしながら、図６に示す従来例１は、エアガイド８の流路７の長さが短く、十分に流速が遅くなっていないうちに、流路断面積の大きい連通路１１に空気が流れ込むため、エアガイド８の流路７から連通路１１への流路断面積が拡大する影響を受けて、急拡大損失が生じてしまうという課題を有していた。
【０００８】
また、図７に示す従来例２は、排気口２５を設けることにより、ローター部３０やステ
ータ部３１の冷却に対して余分な量の空気を空気の流れＤで示すように外部に排気することが可能であるため、空気の流れＢ、Ｃ１、Ｃ２における略直角状の曲がり損失を低減することができるが、流路を流れる空気の総流量が異なる機器に用いる場合には、排気口２５を設計しなおさないと、空気の流れＢ、Ｃ１、Ｃ２における曲がり損失や壁面摩擦損失の増大などにより性能が大幅に低下する可能性があるため、様々な機器での共用化が困難であった。
【０００９】
さらに、図８で示す従来例３は、パイプ状のエアガイド４１を用いるため、急拡大損失、曲がり損失、漏れ損失などを大きく削減可能であるが、連通口４５を通る際の空気の流れＣにおける曲がり損失が生じることや、内部に埋設したエアガイド４１を成型することが困難であるという課題を有していた。
【００１０】
本発明は、このような従来の課題を解決するもので、ローター部やステータ部などの冷却性能を保持しながら、流路損失を低減することで送風効率を向上させた電動送風機及びそれを用いた電気掃除機を提供することを目的とする。
【課題を解決するための手段】
【００１１】
前記従来の課題を解決するために、本発明の電動送風機は、ローター部とステータ部とそれらを覆うブラケットとによって構成される電動機と、前記電動機により回転駆動されるインペラと、複数のトングにより複数の流路を構成し前記インペラの周辺に配置された第１のエアガイドと、中央に吸気口を有し前記インペラ及び前記第１のエアガイドを内包する第１のファンケースと、前記第１のエアガイド内の複数の流路に対応して前記ブラケットの上面部に設けられた複数の孔部と、前記ブラケットの側面に設けられた複数のブラケット流入口と、前記複数の孔部から複数のブラケット流入口に至る流路を形成する第２のエアガイドと、前記複数の孔部、前記第２のエアガイドおよび前記複数のブラケット流入口を内包するように前記ブラケットの外周を覆う第２のファンケースとを備えたものである。
【００１２】
これによって、エアガイドの流路が急激に曲がる部分を減らして曲がり損失を低減できると共に、第１のエアガイドと第２のエアガイドとを合わせた流路長を長く取ることが出来るので、徐々に流路断面積を拡大していくことが可能であり、流路断面積を急激に拡大させることなく、空気の流速を十分に遅くすることができることにより、急拡大損失を低減することができる。
【００１３】
また、インペラの遠心力で外周側へ追いやった排出空気を第１のエアガイド下部の空間を通して内側に折り返させ、ローター部やステータ部を冷却する必要が無いため、電動送風機全体の軸方向の長さを短くすることができる。
【００１４】
また、エアガイドを第１のエアガイドと第２のエアガイドとで構成し、それらを分離可能にしているため、第１および第２のエアガイドの形状を単純化することができるので、エアガイド全体の成型を容易にすることができる。
【００１５】
また、ファンケースの外周部に排気口を設け、ローター部やステータ部への冷却にとって余分な量の空気を排気する構成とした場合でも、排気口を小さめに設計することで、排気口から出る流量を減らすことができるので、排気口から出る際の急拡大損失を低減させることが可能なだけでなく、吸気口から流入する総流量が低下しても、ローター部やステータ部への冷却性能を維持することができる。
【００１６】
また、吸気口から流入する総流量が増加した場合でも、第１のエアガイドと第２のエアガイドを合わせた流路長を長く取ることが出来るので、流路断面積を急拡大させることな
く、徐々に流路断面積を拡大させることにより、空気の流速を遅くすることが可能なため、急拡大損失や曲がり損失など増加を抑えることが可能であるので、様々な流量の機器への共用化を行いやすい。
【００１７】
そして、この電動送風機を用いた電気掃除機は、送風効率が高く、吸引力が強い、きわめて実用的なものである。
【発明の効果】
【００１８】
本発明の電動送風機およびそれを用いた電気掃除機は、ブラケット上面部に複数の孔部を設けると共に、その下流に第２のエアガイドを設け、吸気口から流入する空気の少なくとも一部をブラケットに供給してローター部やステータ部などを冷却する構成とすることにより、十分な冷却性能を保持したまま、曲がり損失や急拡大損失などを低減させ、電動送風機の送風効率を向上させることができる。
【発明を実施するための最良の形態】
【００１９】
第１の発明は、ローター部とステータ部とそれらを覆うブラケットとによって構成される電動機と、前記電動機により回転駆動されるインペラと、複数のトングにより複数の流路を構成し前記インペラの周辺に配置された第１のエアガイドと、中央に吸気口を有し前記インペラ及び前記第１のエアガイドを内包する第１のファンケースと、前記第１のエアガイド内の複数の流路に対応して前記ブラケットの上面部に設けられた複数の孔部と、前記ブラケットの側面に設けられた複数のブラケット流入口と、前記複数の孔部から複数のブラケット流入口に至る流路を形成する第２のエアガイドと、前記複数の孔部、前記第２のエアガイドおよび前記複数のブラケット流入口を内包するように前記ブラケットの外周を覆う第２のファンケースとを備えた電動送風機である。
【００２０】
この構成により、ローター部やステータ部への十分な冷却性能を保持したまま、流路内での曲がり損失や急拡大損失などを低減させ、電動送風機の送風効率を向上させることができる。
【００２１】
第２の発明は、特に、第１の発明の第１のファンケースの外周部に設けた排気口と、吸気口から流入した空気の流量によって前記排気口を開閉する開閉扉とを備えたことで、吸気口から流入する総流量が多い時には開閉扉が開き、排気口から外部に排気される空気の量を増やして、第２のエアガイド内の流路に流れる流量、およびブラケット流入口からブラケット内部に流れ込む流量を減らすことができ、曲がり損失や壁面摩擦損失などを低減することができる。
【００２２】
そして、総流量が少なくなるに従って開閉扉を閉じていくことにより、総流量が少ない場合でも、ローター部やステータ部の冷却に必要十分な量の空気をブラケット流入口からブラケット内部へ供給することができるため、使用可能流量範囲が広いので、様々な機器への共用化が可能である。
【００２３】
また、第１のエアガイドと第２のエアガイドを合わせた流路は、流路長を長くすることが出来るので、第２のエアガイドの流路断面積を徐々に拡大させて、空気の流速を遅くすることを可能にし、吸気口から流入する総流量が増加した場合でも、流路の終わり際での急拡大損失の増加を抑えることが可能である。そのため、開閉扉が閉じる方向にばらついても送風効率の低下を抑えることができ、生産ばらつきや経時劣化に対しても問題が生じにくい。
【００２４】
第３の発明は、特に、第２の発明の第２のエアガイドの流路はブラケットの外周側に螺旋状に構成されているので、第２のエアガイドの流路の流路長を長く取ることが出来るの
で、徐々に流路断面積を拡大させて、空気の流速を遅くすることが可能であり、吸気口から流入する総流量が増加した場合でも、流路の終わり際での急拡大損失の増加を抑えることが可能である。そのため、開閉扉が閉じる方向にばらついても送風効率の低下を抑えることができるので、生産ばらつきや経時劣化に対しても問題が生じにくい。
【００２５】
第４の発明は、特に、第１〜第３のいずれか１つの発明の第２のファンケースにおけるブラケット流入口近傍の位置に下部排気口を設けたことにより、ローター部とステータ部への冷却に対して余分な流量の空気をこの下部排気口から排気することが可能となり、ブラケット内部へ流入する際やブラケット内部を流れる際の壁面摩擦損失や曲がり損失などを低減させることができる。さらに、第１のエアガイドおよび第２のエアガイドによって流速が遅くなった気流を排気することが可能となるので、空気が下部排気口から排気される際の急拡大損失を低減させることができる。
【００２６】
第５の発明は、特に、第１〜第４のいずれか１つの発明のブラケット流入口を、ローター部またはステータ部の少なくとも一方に設けられたコイルの下方側に風が当たる位置に設けられたことにより、ローター部やステータ部への冷却が効果的に行えるだけでなく、第２のエアガイドの流路を軸方向に長く取ることが可能となる。そのため、徐々に流路断面積を拡大させて空気の流速を十分に遅くすることが可能となり、急拡大損失を低減させることができると共に、流路の曲がり方を緩やかにすることができるので、曲がり損失を低減させることができる。
【００２７】
第６の発明は、特に、第１〜第５のいずれか１つの発明の電動機はローター部と接するブラシ部を有するブラシモータであり、ブラケット流入口は前記ブラシ部の近傍に設けられていることにより、ブラシ部の摺動摩擦によって生じる熱を効果的に冷却するだけでなく、第２のエアガイドの流路長を長く取ることが可能となる。そのため、徐々に流路断面積を拡大させて空気の流速を十分に遅くすることが可能となり、急拡大損失を低減させると共に、流路の曲がり方を緩やかにして、曲がり損失を低減させることができる。
【００２８】
第７の発明は、特に、第１〜第６のいずれか１つの発明のブラケット流入口が、第２のエアガイドの流路内の空気の流れの方向に沿って傾いた複数の孔であることにより、第２のエアガイドからブラケット内部へスムーズに空気を送り込むことができるので、ブラケット流入口近傍のブラケット側面などへの衝突損失を低減することができる。
【００２９】
第８の発明は、特に、第１〜第７のいずれか１つの発明の第２エアガイドのトングを配さない合流域を第２のエアガイドとブラケットの径方向壁面との間に設けていることにより、ブラケット流入口の形状や位置が不均一であったり、ブラケット内部の隙間が狭いところがあった場合でも、流速が速いところと遅いところが生じることによる壁面摩擦損失などを低減させることができる。
【００３０】
第９の発明は、特に、第１〜第８のいずれか１つの発明における電動送風機を有する電気掃除機とすることにより、送風効率が高く、吸引力が強い、きわめて実用的な電気掃除機を提供することができる。
【００３１】
以下、本発明の実施の形態について、図面を参照しながら説明する。なお、この実施の形態によって本発明が限定されるものではない。
【００３２】
（実施の形態１）
図１は本発明の実施の形態１における電動送風機を示す破断正面図であり、図２は同電動送風機に用いる第１のエアガイドの斜視図であり、図３は同電動送風機に用いるブラケット及び第２のエアガイドの斜視図である。
【００３３】
図１に示すように、本実施の形態における電動送風機５１には、電動機５２が配置されている。電動機５２は、ブラシモータと呼ばれるタイプのモータであり、ローター部５３とステータ部５４と、それらを覆うブラケット５５とブラシ部５６からなる。ブラシ部５６は、ローター部５３やステータ部５４より下方側に設けられている。ローター部５３には、回転軸５７と、整流子部５８と、コイル部５９ａ、５９ｂとが設けられ、ステータ部５４には、コイル部６１ａ、６１ｂが設けられている。そして、ローター部５３に連結された回転軸５７には、インペラ６２が接続されている。
【００３４】
図２に示すように、第１のエアガイド６５は、複数枚のトング６３によって複数の流路６４を構成するものであり、図１に示すようにインペラ６２の周囲に配置され、第１のファンケース６６によってインペラ６２と第１のエアガイド６５が内包されている。
【００３５】
図１に示すように、ファンケーススペーサ６７は、吸気口６８でインペラ６２と当接シールされ、インペラ６２から流出された空気が、第１のファンケース６６内でインペラ６２の出口側から吸気口６８側へと再びインペラ６２に流入しない構成としており、第１のファンケース６６と一体的に成型されている。
【００３６】
なお、本実施の形態では、ファンケーススペーサ６７を第１のファンケース６６と一体的に成型する構成としているが、ファンケーススペーサ６７と第１のファンケース６６との間に空気の漏れる隙間が生じない構成であれば、両者を溶着または接着などで一体的に構成しても良い。
【００３７】
第２のエアガイド７３は、ブラケット５５の外周に設けられ、図３に示すように、ブラケット５５の上面部６９に在る孔部７０からブラケット５５外周側下方に向けて、複数のトングに７１よって形成された複数の流路６４が複数の孔部７０に対応して構成されている。なお、第２のエアガイド７３の流路７２は、ブラケット５５の外周に沿って斜めに傾斜させ、螺旋状に構成して流路長を長く取れるようにする方が好ましい。
【００３８】
そして、第２のファンケース７４は、孔部７０、第２のエアガイド７３およびブラケット流入口７７を内包するようにブラケット５５の外周を覆っており、ネジ７５でブラシ部５６と共に共締めすることでブラケット５５に固定されている。
【００３９】
第２のエアガイド７３内の流路７２の下流になるブラケット５５側面部７６には、第２のエアガイド７３内の流路７２の流れに沿った方向に開けた複数の孔で構成されたブラケット流入口７７が設けられている。また、第２のエアガイド７３に設けられたトング７１とブラケット５５の側面部７６との間には、合流域７８が設けられ、各流路７２を通ってきた空気がここで一旦合流する構成となっている。
【００４０】
また、ブラケット流入口７７は、ローター部５３の下側のコイル５９ｂと、ステータ部５４の下側のコイル６１ｂと、ブラシ部５６の近傍に設けられている。そのため、ブラケット流入口７８から流入した空気がローター部５３の下側のコイル５９ｂと、ステータ部５４の下側のコイル６１ｂと、ブラシ部５６に当たることで、ローター部５３とステータ部５４とブラシ部５６を冷却する構成となっている。
【００４１】
ブラケット５５の底面部７９には、ブラケット排気口８０が設けられ、ブラケット５５内に流入した空気が、ローター部５３とステータ部５４とブラシ部５６を冷却した後で外部に排気される構成となっている。
【００４２】
なお、本実施の形態では、ブラケット排気口８０をブラケット５５の底面部７９に設け
ているが、ローター部５３などの冷却が可能であれば、ブラケット排気口８０をブラケット５５の側面部７６に設けても良い。また、ブラケット５５の上面部６９の軸側には貫通口８１が設けられている。
【００４３】
そして、図１に示すように、第１のファンケース６６の外周には、複数の排気口８２が設けられており、インペラ６２から第１のエアガイド６５の流路６４に流入した空気の一部が、空気の流れＥで示すようにこの排気口８２を通って外部に排気される構成となっている。
【００４４】
また、排気口８２近傍には、開閉扉８３とヒンジ８４設けられており、インペラ６３から第１のエアガイド６５の流路６４に流入する空気の総流量が多い場合は、空気の勢いによって開閉扉８３が開く方向に移動し、排気口８２から排気する空気の量を増やし、総流量が少ない場合は、重力によって開閉扉８３が閉じる方向に移動し、排気口８２から排気する空気の量を減らす構成となっている。
【００４５】
なお、本実施の形態では、吸気口６８側が地面に対して上方に、且つブラケット５５が下方になるように電動送風機５１を設置しているため、開閉扉８３を重力によって閉じる方向に移動させる構成としている。しかし、電動送風機５１を横向きあるいは、上下逆方向に設ける場合には、バネなどを用いてインペラ６３から第１のエアガイド６５の流路６４に流入する空気の総流量が少ない時に開閉扉８３が閉じる方向に移動するよう構成してもよい。
【００４６】
以上のように構成された電動送風機について、以下その動作、作用を説明する。
【００４７】
まず、電動送風機５１を起動すると、電動機５２のローター部５３が回転し、それに伴って回転軸５７とインペラ６２が回転し、その結果、吸気口６８から空気が吸い込まれる。そして、インペラ６２によって吸気口６８から吸い込まれた空気は、第１のエアガイド６５内の流路６４に流れ込む。
【００４８】
そして、流路６４の流路断面積が下流に行くに従って徐々に広くなるようにトング６３を設けることで、流路断面積が急激に大きくなることによって生じる急拡大損失を抑えながら、動圧を静圧に変換する圧力回復を行っている。そして、第１のエアガイド６５内の流路６４に流れ込んだ空気の一部は、空気の流れＥで示すように排気口８２から外部に排気され、残りの空気は、空気の流れＦで示すように、孔部７０を通って第２のエアガイド７３内の流路７２へと流れ込む。
【００４９】
第２のエアガイド７３内の流路７２に流れ込んだ空気は、さらに圧力回復が行われ、十分に流速が遅くなったところで合流域７８に入り、各流路７２を通ってきた空気が一旦合流する。そして、ブラケット５５の側面部７６に設けられたブラケット流入口７７を通ってブラケット５５内に空気が入り、ローター部５３の下側コイル部５９ｂと、ステータ部５４の下側コイル部６１ｂと、ブラシ部５６とに気流が当たる。
【００５０】
ローター部５３の上側コイル部５９ａと下側コイル部５９ｂ、およびステータ部５４の上側コイル部６１ａと下側コイル部６１ｂは、それぞれ繋がっているため、下側コイル部５９ｂ、６１ｂに気流を当てることで、下側コイル部５９ｂ、６１ｂだけでなく上側コイル部５９ａ、６１ａも伝熱により冷却される。
【００５１】
さらに、本実施の形態では、インペラ６２の回転によりインペラ６２の下側が負圧になると、貫通口８１を通る空気の流れＧが生じるので、この空気の流れＧによって上側コイル部５９ａ、６１ａを冷却することが可能であり、冷却効果の高い構成となっている。
【００５２】
ここで、ブラケット流入口７７を第２のエアガイド７３内の流路７２を流れる空気の流れＥの方向に沿うよう、ブラケット５５の側面部７６に対して斜めに開けることにより、第２のエアガイド７３からブラケット５５内部へスムーズに空気を送り込むことができるので、ブラケット流入口７７近傍のブラケット５５側面部への衝突損失を低減することができる。
【００５３】
また、通電により熱を生じるコイル部のうち、下側コイル部５９ｂ、６１ｂに直接風を当てたり、整流子部５８との摺動摩擦により熱を生じるブラシ部５６をステータ部５４の下方側に設けて直接風を当てたりする構成としているのは、単に冷却効果を向上させるためだけではない。
【００５４】
すなわち、そのように構成することにより、第２のエアガイド７３が回転軸５７方向に長さを取ることができるので、第２のエアガイド７３の流路７２の長さを長くし、徐々に流路７２の断面積を拡大させて空気の流速を十分に遅くさせることができるので、急拡大損失を低減させると共に、流路７２の曲がり方を緩やかにして、曲がり損失を低減させるためでもある。
【００５５】
さらに、ブラケット流入口７７の形状や位置が不均一であったり、ブラケット５５内部の隙間が狭いところがあったりする場合でも、合流域７８で各流路７２を通過した空気が一旦合流されることによって、流速が速いところと遅いところが生じることによる壁面摩擦損失などを低減させることができる。
【００５６】
なお、本実施の形態では、第１のエアガイド６５と第２のエアガイド７３を合わせた流路長を長くして、十分に流速が遅くなったところで各流路を通る空気の流れが混合されるため、流路断面積が急激に拡大されることによる急拡大損失を抑えることができる。
【００５７】
また、過剰な流量の空気をブラケット５５内部に送り込んだ場合、第２のエアガイド７３内の流路７２を流れる空気の流速が速くなり、壁面摩擦損失や曲がり損失などの損失が増加するが、本実施の形態では、第１のファンケース６６の外周部に排気口８２を設けているので、冷却に対して余分な流量の空気を外部へ排気して、第２のエアガイド７３内の流路７２に流れる流量、およびブラケット流入口７７からブラケット５５内部に流れ込む流量を減らすことができ、曲がり損失や壁面摩擦損失などを低減することができる。
【００５８】
さらに、排気口８２に開閉扉８３を設けているため、吸気口６８から流入する空気の総流量が減った場合、空気の流れＥの勢いが弱まることで、開閉扉８３が重力により閉じる方向に移動するため、空気の流れＦで示す第２のエアガイド７３方向へ流れる空気の流量の減少幅を抑えることができるので、ローター部５３やステータ部５４などへの冷却性能を確保することができる。
【００５９】
ここで、流量が少なくなる場合でも、冷却性能を十分に確保するため、および排気口８２から外部へ空気が排出される際の急拡大損失を低減するためには、排気口８２は小さめに設計することが望ましい。もし、流量が多くなった場合でも、本実施の形態では、第１のエアガイド６５と第２のエアガイド７３を合わせた流路長を長く取ることが出来るので、徐々に流路断面積を拡大させることにより、空気の流速を十分に遅くすることが可能になり、吸気口６８から流入する総流量が増加した場合でも、流路７２の終わり際での急拡大損失の増加を抑えることが可能である。
【００６０】
このように、本実施の形態の電動送風機５１は、吸気口６８から流入する空気の総流量が変わっても、ローター部５３やステータ部５４への冷却性能を確保したり、各種圧力損
失の増加を抑えたりすることが可能であるので、使用可能流量幅が広く、様々な機器への共用化が可能である。
【００６１】
以上のように、本実施の形態では、ブラケット５５の上面部６９に複数の孔部７０を設けると共に、その下流に第２のエアガイド７３を設け、吸気口６８から流入する空気の少なくとも一部をブラケット５５に供給して、ローター部５３やステータ部５４などを冷却することにより、十分な冷却性能を保持したまま、曲がり損失や急拡大損失などを低減させ、送風効率を向上させることができる。
【００６２】
（実施の形態２）
図４は、本発明の実施の形態２における電動送風機を示す破断正面図である。
【００６３】
本実施の形態２が実施の形態１と異なる点は、第１のファンケース６６の外周部に排気口８２や開閉扉８３を設けず、第２のファンケース９１の下流側の軸方向に下部排気口９２を設けている点である。その他は実施の形態１と同様であり、同一番号を付して詳細な説明を省略する。
【００６４】
排気口を第１のファンケース６６に設ける実施の形態１と比較して、第２のエアガイド７３を流れる流量が増えることによって壁面摩擦損失や曲がり損失は増加するが、第２のエアガイド７３によって流速が遅くなった空気を下部排気口９２より外部に排気することが可能となるため、排気口から空気が排気される際の急拡大損失を実施の形態１に比べて低減させることができる。
【００６５】
なお、実施の形態１の構成では、排気口８２を通って外部に排気される気流の流れを阻害しないよう、外部の径方向にスペースを必要とするが、本実施の形態では、軸方向に下部排気口９２を設けているため、外部の径方向にスペースを必要としない。
【００６６】
（実施の形態３）
図５は、本発明の実施の形態３における電気掃除機の全体構成を示す構成図である。
【００６７】
図５において、電気掃除機１０１は、ホース１０２、延長管１０３及び床面上を移動して塵埃を吸引する吸引具１０４を有しており、掃除機本体１０５には、実施の形態１〜２に示した第２のファンケース１０５などを有する電動送風機５１が内蔵されている。
【００６８】
以上のように構成された電気掃除機について、以下その動作、作用を説明する。
【００６９】
まず、電気掃除機１０１を起動すると電動送風機５１が送風を行う。電動送風機５１は、内部に実施の形態１〜２に示した第２のファンケース１０５などが設けられているため、電動送風機５１内のローター部（図示せず）やステータ部（図示せず）への冷却性能を確保しながら、高い送風効率で動作する。したがって電気掃除機全体としても高い送風効率で動作でき、強い吸引力を得ることができ、きわめて実用的なものである。
【産業上の利用可能性】
【００７０】
以上のように、本発明にかかる電動送風機及びそれを用いた電気掃除機は、十分な冷却性能を保持したまま、曲がり損失や急拡大損失などを低減させ、送風効率を向上させることができるので、家庭用はもちろんのこと業務用の機器にも適用可能である。
【図面の簡単な説明】
【００７１】
【図１】本発明の実施の形態１における電動送風機の破断正面図
【図２】同電動送風機の第１のエアガイドの斜視図
【図３】同電動送風機のブラケットおよび第２のエアガイドの斜視図
【図４】本発明の実施の形態２における電動送風機の破断正面図
【図５】本発明の実施の形態３における電気掃除機の全体構成図
【図６】従来例１の電動送風機の破断正面図
【図７】従来例２の電動送風機の破断正面図
【図８】従来例３の電動送風機の破断正面図
【符号の説明】
【００７２】
５１  電動送風機
５２  電動機
５３  ローター部
５４  ステータ部
５５  ブラケット
５６  ブラシ部
５９ｂ  ローターの下側コイル部
６１ｂ  ステータの下側コイル部
６２  インペラ
６３  トング（第１のエアガイド）
６４  流路（第１のエアガイド）
６５  第１のエアガイド
６６  第１のファンケース
６８  吸気口
６９  ブラケット上面部
７０  孔部
７１  トング（第２のエアガイド）
７３  第２のエアガイド
７４  第２のファンケース
７７  ブラケット流入口
７８  合流域
８２  排気口
８３  開閉扉
９２  下部排気口
１０１  電気掃除機
【図１】
2010180705.tif 000003
【図５】
2010180705.tif 000004
【図７】
2010180705.tif 000005
【図２】
2010180705.tif 000006
【図３】
2010180705.tif 000007
【図４】
2010180705.tif 000008
【図６】
2010180705.tif 000009
【図８】
2010180705.tif 000010